(57)【要約】【課題】大容量情報を合理的コストで配信する。【解決手段】帯電防止作用、防水作用、防磁作用を備える粘着フィルム４によって半導体記憶メディア３を葉書２に貼り付ける。【選択図】図１
2011011430.tif 000002
【特許請求の範囲】
【請求項１】
帯電防止加工、防水加工、防磁加工が施された領域を少なくとも一部に備える葉書と、
この葉書の前記領域に一体化される書き換え可能な半導体記憶メディアと、
からなること特徴とする半導体記憶メディア付葉書。
【請求項２】
前記領域は、帯電防止作用、防水作用、防磁作用を備える粘着性フィルムによって形成され、この粘着性フィルムによって前記半導体記憶メディアが前記葉書に一体化されている、
ことを特徴とする請求項１に記載の半導体記憶メディア付葉書。
【請求項３】
前記葉書の一体化された前記半導体記憶メディアの周囲に、前記半導体記憶メディアを取出すことが可能な取出し機構が設けられている、
ことを特徴とする請求項１又は請求項２に記載の半導体記憶メディア付葉書。
【発明の詳細な説明】
【技術分野】
【０００１】
この発明は、大容量情報を搭載した書き換え可能な半導体記憶メディアを葉書に一体化することで、大容量情報を簡便な方法で配信（郵送）利用可能にした半導体記憶メディア付葉書に関する。
【背景技術】
【０００２】
市販されている葉書をはじめ、挨拶用カードなどを使った情報配信手段では、住所等の宛先とともに平坦な紙上に文字や絵を描き、郵便、特に、コストを比較的安価に済ますことが可能な定形郵便物を利用した郵便により送るため、その一回の配信で送ることが可能な情報が極めて限られている。一方、大容量の情報を配信するという要求を満たすとなると、必要な情報を記載したカタログ等の作成のためのコスト、定形外郵便や宅配便等を利用するためのコストが必要になって、相応のコストがかかるという問題が発生する。
【０００３】
さらに、最近では、情報化社会の進展により、情報といっても文字や絵のほか、動画、アプリケーション等、その形態が多様化し、これらの配信手段についてもＥメールやＷｅｂ上からのダウンロードなど様々な形態が公知であるものの、配信容量の制限のために、大容量情報をＥメールで配信するのは困難であり、また、Ｗｅｂ上からのダウンロードでは時間と手間がかかるという問題が新たに発生している。
【０００４】
ここで、下記特許文献１にて開示の記憶媒体保持構造を備えたカードに係る発明では、カード上に形成した記憶媒体を保持させる構造に着目することでカード上に記憶媒体を保持し、郵便等で配信可能にして上述した問題を解決しようとする提案がなされている。
【先行技術文献】
【特許文献】
【０００５】
【特許文献１】実用新案登録第３１０６６０１号公報
【０００６】
上記特許文献１に提案の考案は、記憶媒体保持構造を備えたカードであって、カード、及びカード上に記憶媒体を受け入れるための表面に配置された保持構造からなり、特に、保持構造がカード上に固定された柱状突起であることを特徴としている。そして、保持構造に記憶媒体を固定することで、記憶媒体がカードの一部になり、カードとディジタル多用途ディスク、ビディオディスク及びオーディオディスク等の記憶媒体とを一対に組み合わせることができ、記憶媒体内の情報を簡便に配信することができるとしている。
【０００７】
しかし、上記特許文献１に提案の発明では、記憶媒体が柱状突起という保持構造により保持されるディジタル多用途ディスク、ビディオディスク及びオーディオディスク等であるので、その厚みや重さ、大きさ等の制限により、コストを比較的安価に済ますことが可能な定形郵便物を利用することが困難であって、相応のコストの発生という問題が解決されていない。さらに、配信の際に、記憶媒体に傷がついたり、酸化等によって機能不全となって、情報を確実に配信できないという問題も新たに発生する。
【発明の概要】
【発明が解決しようとする課題】
【０００８】
上述の通り、従来の情報配信手段では、利用者が、コストに着眼し、情報量を著しく制限して配信するか、情報量に着眼して相応のコストを覚悟するかの選択をしなければならないという問題があった。また、Ｅメール、Ｗｅｂからのダウンロードを通じても、容量制限の問題、時間や手間の問題等があった。
【０００９】
本発明は、上記実情に鑑み提案されたもので、コストに着眼し、情報量を著しく制限して配信するか、情報量に着眼して相応のコストを覚悟するかの選択を不要にし、大容量情報を定形郵便物などを利用して安価な配信をすることができ、かつ、記憶媒体に傷がついたり、機能不全にならないで、大容量情報を確実に配信することが可能な半導体記憶メディア付葉書を提供することを目的とする。
【課題を解決するための手段】
【００１０】
上記目的を達成するために、本発明に係る半導体記憶メディア付葉書は、帯電防止加工、防水加工、防磁加工が施された領域を少なくとも一部に備える葉書と、この葉書の前記領域に一体化される書き換え可能な半導体記憶メディアと、からなること特徴とする。
【００１１】
特に、上記領域は、帯電防止作用、防水作用、防磁作用を備える粘着フィルムによって形成され、この粘着フィルムによって半導体記憶メディアが葉書に一体化されることが好ましい。
【００１２】
また、葉書の一体化された半導体記憶メディアの周囲に、半導体記憶メディアを取出すことが可能な取出し機構が設けられている、ことがさらに好ましい。
【発明の効果】
【００１３】
本発明に係る半導体記憶メディア付葉書では、まず、葉書に帯電防止加工、防水加工、防磁加工が施された領域を少なくとも一部に備え、この領域に書き換え可能な半導体記憶メディアを一体化させているので、葉書の配信時（郵送時）に、帯電、水濡れ、電磁界の影響等によって、半導体記録メディアが機能不全となるリスクを回避することができる。さらに、本発明は葉書であるので、配信（郵送）において定形郵便物として取り扱われるとともに、この葉書に一体化されているものが半導体記憶メディアであるので大容量の情報を記憶させることが可能であるため、合理的なコストで大容量の動画、コンテンツ等を配信することを実現することができる。すなわち、大容量情報を定形郵便物などを利用して安価な配信をすることができ、かつ、半導体記憶メディアに傷がついたり、搭載した大容量の情報が消失する等の機能不全にならないで、大容量情報を確実に配信することが可能になる。
【００１４】
特に、上記領域は、帯電防止作用、防水作用、防磁作用を備える粘着フィルムによって形成され、この粘着フィルムによって半導体記憶メディアが葉書に一体化されているので、本発明品を簡便に作製することができて、多くの利用者が簡単に活用できる半導体記憶メディア付葉書となる。
【００１５】
また、葉書の一体化された半導体記憶メディアの周囲に、半導体記憶メディアを取出すことが可能な取出し機構が設けられているので、本発明品を受け取った者が、取出し機構によって、簡単に半導体記憶メディアを取出すことが可能となるため、配信した大容量情報を、多くの利用者が簡単に利用できる半導体記憶メディア付葉書とすることができる。
【図面の簡単な説明】
【００１６】
【図１】本発明に係る半導体記憶メディア付葉書の概略正面図である。
【図２】本発明に係る半導体記憶メディア付葉書の要部を断面にして説明する要部断面説明図である。
【発明を実施するための形態】
【００１７】
以下、本発明の一実施形態を図１、図２に基づいて説明する。
【００１８】
本発明に係る半導体記憶メディア付葉書１は、帯電防止加工、防水加工、防磁加工が施された領域を一部に備えた葉書２と、この葉書２の領域に一体化される書き換え可能な半導体記憶メディア３とからなる。特に、葉書２の一部に備えられた当該領域は、帯電防止作用、防水作用、防磁作用を備える粘着フィルム４によって形成されている。すなわち、本実施形態における半導体記憶メディア付葉書１は、この粘着フィルム４によって、半導体記憶メディア３が葉書２に貼り付けられて一体化されているものである。
【００１９】
なお、葉書２の一体化された半導体記憶メディア３の周囲には、半導体記憶メディア２を取出すことが可能な取出し機構としての切り取り線部２ａが設けられている。本発明に係る半導体記憶メディア付葉書１の大きさは、例えば、縦１４．０〜１５．４ｃｍ、横９．０〜１０．７ｃｍの長方形であり、重量も２〜６グラム程度である。
【００２０】
葉書２は、例えば、縦１４．０〜１５．４ｃｍ、横９．０〜１０．７ｃｍの長方形の紙製であり、重量が２グラム前後のものであって、一般的な郵便葉書、私製葉書を採用することができる。
【００２１】
半導体記憶メディア３は、動画、コンテンツ等の大容量情報が書き込まれ、また、情報端末等にて読み出し可能な記録媒体であって、例えば、マイクロＳＤ（登録商標）、メモリースティックマイクロ（登録商標）などを採用することができる。
なお、本実施形態において書き込まれる大容量情報は、暗号化されたもの、暗号化されていないものの別を問わない。
【００２２】
粘着性フィルム４は、帯電防止作用、防水作用、防磁作用を備えている。例えば、帯電防止処理された粘着剤が一方の面に塗布され、他方の面に帯電防止剤および防磁化剤が塗布された耐水性を有するＰＥＴフィルム、または、ＰＶＡフィルム等を採用することができる。
【００２３】
また、葉書２上に形成された取出し機構としての切り取り線部２ａとは、例えば、切り取り線をいい、印刷により設けることができる。この場合、本実施形態に係る半導体記憶メディア付葉書１を受け取った利用者は、切り取り線部２ａに沿ってハサミなどを入れ、葉書２に一体化されている半導体記憶メディア３を取り出すことができる。また、切り取り線部２ａを、葉書２上にミシン目を入れて形成してもよい。この場合、本実施形態に係る半導体記憶メディア付葉書１を受け取った利用者は、手作業でミシン目を切り離すことにより、葉書２に一体化されている半導体記憶メディア３を取り出すことができる。
【００２４】
以下、本発明品の実施例について、簡単に説明する。
【００２５】
まず、一般的な郵便用の葉書２を用意する。この葉書２は、切手を貼り付ける必要があるもの、料額印面が表示されているもの、のいずれでも構わない。また、この葉書２の一部には、切り取り線部２ａを印刷して形成しておく。
一方、帯電防止作用、防水作用、防磁作用を備えた粘着性フィルム４を用意し、この粘着性フィルム４に半導体記憶メディア３を貼り付けておく。
続いて、この葉書２へ、特に、この葉書２の一部に印刷された切り取り線部２ａ付近へ、半導体記憶メディア３が貼り付けられている粘着性フィルム４を貼り付け、半導体記憶メディア３と葉書２とを一体化する。
【００２６】
このように、本実施形態に係る半導体記憶メディア付葉書１は、簡便に作製することができる。半導体記憶メディア付葉書１は、葉書であるので、定形郵便物として規定の料金にて配信（郵送）することができるものとなる。また、粘着性フィルム４が帯電防止作用、防水作用、防磁作用を備えているので、これに貼り付けられている半導体記憶メディア３は、配信時（郵送時）にも、傷がついたり、帯電により書き込まれた大容量情報が消失したりして機能不全となることもない。
【００２７】
したがって、本発明に係る半導体記憶メディア付葉書１は、大容量情報を定形郵便物などを利用して安価な配信をすることができ、かつ、半導体記憶メディア３を傷つけたり、書き込まれた大容量情報を消失させたりすることなく、確実に配信することができる。
【００２８】
以上、本発明の一実施形態を詳述したが、本発明は、上記一実施形態に限定されるものではない。そして、本発明は、特許請求の範囲に記載された事項を逸脱することがなければ、種々の設計変更を行うことが可能である。
【００２９】
また、本発明は、特許請求の範囲に記載された事項を逸脱しなければ、例えば、葉書の形状、半導体記憶メディアの種類をＮＡＮＤフラッシュメモリと異なる種類のものに変えることも可能である。また、本発明の各構成物品に使用する材質等は、公知または周知の素材を使用できることはいうまでもない。また、半導体記憶メディアに書き込まれる大容量情報は、暗号化されたもの、暗号化されていないもののいずれでも本発明に含まれるものである。  
【符号の説明】
【００３０】
１・・半導体記憶メディア付葉書
２・・葉書
２ａ・切り取り線部（取出し機構）
３・・半導体記憶メディア
４・・粘着性フィルム
【図１】
2011011430.tif 000003
【図２】
2011011430.tif 000004